(57)【要約】【課題】本体フレームと側面カバーの位置合わせが容易であるコンピュータ筐体を提供する。【解決手段】コンピュータ筐体は、側面カバー１および本体フレーム２を含み、側面カバー１の内面１０に第一辺１１および第二辺１２と、複数のフック部１４とが設けられ、本体フレーム２に第一枠部２１および第二枠部２２が設けられ、そのうち、第一枠部２１は複数の掛止溝部２３を備え、第二枠部２２に少なくとも１つの位置合わせ線３が設けられると共に、側面カバー１の第一辺１１および第二辺１２がそれぞれ第一枠部２１の外側辺２１０および位置合わせ線３に沿うとき、側面カバー１のフック部１４が対応する掛止溝部２３に挿入される。【選択図】図２
0003124182.tif 000002
【実用新案登録請求の範囲】
【請求項１】
コンピュータ筐体であって、側面カバーと本体フレームを含み、
前記側面カバーは内面を備え、前記内面に複数のフック部が設けられ、前記内面は相互に垂直な第一辺と第二辺を備え、
前記本体フレームは相互に垂直な第一枠部と第二枠部を備え、前記第一枠部に前記フック部に対応する複数の掛止溝部が設けられ、前記第二枠部に少なくとも１つの位置合わせ線が設けられ、
前記位置合わせ線は、前記側面カバーの第一辺および第二辺がそれぞれ前記第一枠部の外側辺および前記位置合わせ線に沿うとき、前記フック部が対応する前記掛止溝部に挿入されるよう設けられたことを特徴とするコンピュータ筐体。
【請求項２】
前記位置合わせ線は深さを有することを特徴とする請求項１に記載のコンピュータ筐体。
【請求項３】
前記第二枠部上に少なくとも１つの矢印表示部が設けられ、前記矢印表示部が前記第二枠部の外側を指し示すことを特徴とする請求項１又は２に記載のコンピュータ筐体。
【請求項４】
前記矢印表示部が前記位置合わせ線に隣接することを特徴とする請求項３に記載のコンピュータ筐体。
【考案の詳細な説明】
【技術分野】
【０００１】
本考案は本体フレームと側面カバーを含むコンピュータ筐体に関し、特に独立式の側面カバーを持つコンピュータ筐体に関する。
【背景技術】
【０００２】
特許文献１のコンピュータ筐体には、本体フレームと側面カバーが含まれ、この本体フレームは複数の掛止溝部を備え、この側面カバー上に設けた複数のフック部がそれぞれ対応する掛止溝部に挿入され固定される。
【０００３】
しかしながら、この側面カバーを本体フレームに組み合わせる過程において、操作者が側面カバーの内面（フック部を設けた面）を見ることができないため、操作者は側面カバーのフック部を本体フレームの掛止溝部に正しく揃えることが困難である。これは、従来、コンピュータ筐体には側面カバーの位置合わせが容易でないという問題があることを意味しており、側面カバーの装着に時間がかかってしまう。場合によっては、側面カバー上のフック部が圧迫されて変形してしまうことにつながりかねない。
【特許文献１】台湾特許Ｍ２８７４５６号（図１参照）
【考案の開示】
【考案が解決しようとする課題】
【０００４】
本考案の主な目的は、本体フレームと側面カバーの位置合わせが容易であるコンピュータ筐体を提供することにある。
【課題を解決するための手段】
【０００５】
本考案のコンピュータ筐体は、側面カバーと本体フレームを含み、前記側面カバーの内面に相互に垂直な第一辺および第二辺と、複数のフック部とが設けられ、前記本体フレームは相互に垂直な第一枠部および第二枠部を備え、前記第一枠部は前記フック部に対応する複数の掛止溝部を備えている。
【０００６】
そのうち、前記第二枠部は少なくとも１つの位置合わせ線を備え、前記側面カバーの第一辺および第二辺がそれぞれ前記第一枠部の外側辺および前記位置合わせ線に沿うとき、この側面カバーのフック部が対応する掛止溝部に挿入される。したがって、操作者は前述の位置合わせ線により、従来の技術における側面カバーの位置合わせが容易でないという問題を解決し、側面カバーをすばやく本体フレームに装着する目的を達することができる。この他、側面カバー上のフック部も、位置合わせが正確にできるため、圧迫による変形が起こりにくい。
【考案の効果】
【０００７】
本考案によれば、本体フレームと側面カバーの位置合わせが容易であるコンピュータ筐体を提供することができる。
【考案を実施するための最良の形態】
【０００８】
図１、図２に本考案の実施例を示す。この例においてコンピュータ筐体は、側面カバー１および本体フレーム２を含む。
【０００９】
そのうち、側面カバー１は内面１０を備え、複数のフック部１４がこの内面１０に設けられ、内面１０は相互に垂直な第一辺１１と第二辺１２を備えている。本体フレーム２は相互に垂直な第一枠部２１と第二枠部２２を備え、この第一枠部２１は複数の掛止溝部２３を備え、側面カバー１上のフック部１４が掛止溝部２３に対応して挿入される。
【００１０】
従来の技術と異なる点は、第二枠部２２に少なくとも１つの位置合わせ線３が設けられる点であり、この例では計２本の相互に位置を合わせた位置合わせ線３が設けられている。また各位置合わせ線３は、側面カバー１の第一辺１１および第二辺１２がそれぞれ第一枠部２１の外側辺２１０および各位置合わせ線３に沿うとき、側面カバー１上の各フック部１４が対応する掛止溝部２３に挿入されるように設けられる。したがって、操作者は図２に示すように、側面カバー１の第一辺１１を第一枠部２１の外側辺２１０に揃え、且つ、側面カバー１の第二辺１２を第二枠部２２上の両方又は何れかの位置合わせ線３に揃えると、図３に示すように、フック部１４が対応する掛止溝部２３に確実に挿入される。
【００１１】
続いて、図４に示すように、側面カバー１を第二枠部２２の外側辺２２０に向けて移動させる。
【００１２】
操作者は側面カバー１の内面１０を見ることはできないが、位置合わせ線３により、従来の技術における側面カバーの位置合わせが容易でないという問題を解決し、側面カバーをすばやく本体フレーム上に装着する目的を達することができる。この他、側面カバー１上のフック部１４も、位置合わせが正確にできるため、圧迫変形が起こりにくい。
【００１３】
上述の位置合わせ線３はプレス成型、刻印、エッチング、印刷、塗装およびシール等の方法で形成できる。比較的優れているのはプレス成型および刻印方式であり、位置合わせ線３に深さを与えることができる。これにより位置合わせ線３がより磨耗しにくくなるという利点が得られる。
【００１４】
再び図２を参照する。この図においては、第二枠部２２上には更に少なくとも１つの矢印表示部４がはっきりと設けられている。この矢印表示部４は第二枠部２２の外側辺２２０方向を指し示している。この例では、どの矢印表示部４も対応する位置合わせ線３に近接しており、操作者が一目でわかるようになっている。操作者はこの矢印表示部４により、側面カバー１を最後にこの矢印表示部４の指す方向に移動することで、側面カバー１の装着が完了することを明白に認識することができる。この特徴は従来の技術では見られなかったものである。
【００１５】
補足すべき点として、側面カバー１の他方の側にハンドル５を突出させて設けてもよく、これにより操作者は取り外しと装着をより便利に行うことができる。
【図面の簡単な説明】
【００１６】
【図１】本考案の実施例のコンピュータ筐体を示す立体分解図である。
【図２】本考案の実施例の側面カバーが位置合わせ線に揃えられた状態を示す立体斜視図である。
【図３】本考案の実施例の側面カバーのフック部が本体フレームの掛止溝部に挿入される状態を示す断面図である。
【図４】本考案の実施例の側面カバーが本体フレームの第二枠部の外側辺方向に移動される状態を示す立体斜視図である。
【符号の説明】
【００１７】
１      側面カバー
１０    内面
１１    第一辺
１２    第二辺
１４    フック部
２      本体フレーム
２１    第一枠部
２１０  外側辺
２２    第二枠部
２２０  外側辺
２３    掛止溝部
３      位置合わせ線
４      矢印
５      ハンドル
【図１】
0003124182.tif 000003
【図２】
0003124182.tif 000004
【図３】
0003124182.tif 000005
【図４】
0003124182.tif 000006